(57)【要約】【課題】  「ワンカップ酒」は携帯に便利なことから、走行車内での飲用や、野外パーィー、スポーツ観戦などで利用されるが、テーブル等も無く不安定な体勢での使用が多くなる為に、常に酒を溢さないための注意力が要求され、観光歓談観戦中の酒の味を減少させている。上記難点を排し同時に、優雅とは言えないコップ酒スタイルが回避でき、社交上の「乾杯」にも対応出来る酒器が必要である。【解決手段】  課題を解決するために、酒の容器であるカップと飲用の器である盃を一体化する酒器として、本発明を提供する。【選択図】図１
2014012556.tif 000002
【特許請求の範囲】
【請求項１】
上部周辺に小穴を開けた盃状酒器の上面へ、飲用口を開けた天板を配して組合わせ、両者と市販カップ酒等容器を弾性体の装着具により一体とし、前記容器内の液体を溢さずに飲用出来るように構成した事を特徴とするカップ酒用盃
【請求項２】
請求項１の盃状酒器と天板を、金属・陶磁器・ガラス・樹脂等で一体成型した酒盃
【請求項３】
請求項１又は２の飲用口を、プルトップ式としたカップ酒用盃又は酒盃
【請求項４】
請求項１のカップ酒用盃又はその一部又は請求項２の酒盃を、カップ酒等の販売前にセットしたカップ酒等容器の構成
【発明の詳細な説明】
【技術分野】
【０００１】  本発明は走行中のバス車内等不安定な姿勢でも、カップ酒等を溢さずに飲用できるカップ酒用盃に関するものである。
【背景技術】
【０００２】  従来、内容積１８０ｃｃ程度のガラスや陶器製の容器に清酒等を封入することで携帯を便利にし、その容器の開封を容易にし、其の容器から直接飲用できる様にして「カップ酒」と名付けた商品、例えば「ワンカップ大関」等が知られており、「カップ酒」の蓋には機能を付した物が有る。
【先行技術文献】
【特許文献】
【０００３】
【特許文献１】  特開平１０−３３７１７２
【特許文献２】  特許公開２００９−３５３１４
【特許文献３】  特許公開２００１−１９２０５６
【発明の概要】
【発明が解決しようとする課題】
【０００４】  「カップ酒」は携帯に便利で必要量だけ少額で買え、移動中にも飲用出来る利便性から、観光バスや電車内の他に野外パーィーやスポーツ観戦などでも幅広く利用されているが、揺れ動く車内や不安定な体勢での使用が多い為に、下記難点がある。【０００５】  イ、飲用場所にテーブル等が無い場合が多いので、常に酒を溢さない姿勢を保つことを要するが、誤って容器を転倒させ内容物を総て溢す恐れもある。【０００６】  ロ、日本古来の飲酒スタイルは、盃を介しての飲用であるが、「カップ酒」はその容器の形状から、盃への分配・移動が困難で、特に開栓直後には手の震え等により盃の外へ溢しやすい。【０００７】  ハ、ロ項打開策として「コップ酒スタイルで一気飲み」して減量を図るが「優雅」とは言い難く、減量後も溢さぬように一回当りの分配量を少なくするので、容器の蓋の着脱開閉回数が増え煩雑となる。【０００８】  ニ、観光バス内での左党の醍醐味は「景色を見ながら飲用」であり、飲用への注意は旅の楽しさを半減させる。【０００９】  以上不安定な体勢でも、酒を溢さずに分配・移動・一時保管出来て、飲用も日本古来のスタイルで、時には格好よく「乾杯」もできる酒器が必要である【００１０】  背景技術として、肴の入ったカップ酒、カップ酒用容器、灰皿型キャップ付き飲料容器等も「旅を楽しく」が発案の基であろうが、溢さない為の発明は見当たらない。
【課題を解決するための手段】
【００１１】  市販カップ酒等の飲用には酒容器の開栓、酒の分配と移動、一次保管、飲用等の動作を要し、常に溢す恐れがあるので、上部周辺に小穴を開けた盃状酒器の上面へ、飲用口を開けた天板を配して組合わせ、両者と前記容器を弾性体の装着具により一体化する事で、前記容器内の酒を溢さずに飲用出来るように構成したカップ酒用盃を提供する。【００１２】  又上記機能を生かせる酒盃及び、酒の販売以前に上記機能を付す構成を提供する。
【発明の効果】
【００１３】  「カップ酒」は安定した体勢でも、分配・移動・一時保管時に溢す恐れが有ったが、本発明により不安定な体勢に於いてもその恐れが少なくなる。【００１４】  走行中の車両内等では、窓の外に目をやれば手元への注意力が殺がれ、酒を呑み込む時に於いても「車の予期せぬ動揺」を恐れていたが、本発明で飲用口（６）は唇で塞ぐことが可能となり、その安心感から酒の味も増して、時にはチビチビやりながら観光に集中し、必要に応じては格好よく「乾杯」もできる。【００１５】  また本発明は戸外に限らず室内に於いても、徳利と盃で１人日本酒を味わう「手酌」にも適し、カップ酒容器（１）とカップ酒用盃（２）や酒盃（１２）の装着状態での燗も可能である。【００１６】  観光業者の話では、近年車両内でのアルコール飲料がビール・缶チューハイ等に偏ってきているそうであるが、その一因は前述「カップ酒」の難点であろうから、本発明により缶ビール同様気軽に持参でき、同様の安心感で酒が味わえれば、日本酒党には朗報であろう。【００１７】  また、御用済のカップ酒容器（１）や他の容器を利用し、ガラス製の酒盃（１２）との組合せでワイン、リキュール、カクテル等に、高級磁器製とであれば古酒にも向き、水割り・コーラ割りも好みの濃度で持参して痛飲できるであろう。
【図面の簡単な説明】
【００１８】
【図１】本発明の斜視図
【図２】構造図
【図３】動作図
【図４】補足図面
【発明を実施するための形態】
【００１９】  図２により本発明請求項１の「カップ酒用盃」（２）の基本的な実施の形態を示すと、半円球形の盃状器の周辺上部に流入口（４）と通気口（８）の小穴を開けた「盃状酒器」（３）と、飲用口（６）の開いた「天板」（５）、及び（３）と（５）を一体化して、市販のカップ酒容器（１）へ装着する為の筒状弾性体の「装着具」（７）で構成されており、下の装着図は（２）を（７）を介して（１）へ装着した状態である。
【００２０】  この装着図では衛生上の観点から、「盃状酒器」（３）と「天板」（５）及び「装着具」（７）の３者を分離して掃除出来る構成としたが、発明の実施に於いてはその内の２者又は３者を一体化しても良い。
【００２１】  盃状酒器（３）及び天板（５）は、金属・陶磁器・ガラス・樹脂等又はそれらの混成により作成し、装着具（７）はゴム、樹脂等又はそれらの混成により作成する。
【００２２】  基本的な説明は、市販カップ酒に適応する形状とサイズの場合であるが、形状及びサイズを自由として一体構成した請求項２の酒盃（１２）（図４）を造り、前記酒盃（１２）とカップ酒容器（１）又は他の容器に適応するサイズの装着具（７）を造り装着しても良い。
【００２３】  カップ酒用盃（２）及び酒盃（１２）の飲み口（６）をプルトップ式（１３）（図４）としても良い。
【００２４】  請求項１のカップ酒用盃（２）又はその一部である盃状酒器（３）または天板（５）、又は請求項２の酒盃（１２）を、カップ酒等の販売前にセットしても良い（請求項４）。
【００２５】  図３により動作を説明する。（図Ａ）はカップ酒容器（１）へカップ酒用盃（２）を装着した状態で（１）を左方向へ傾けた状態であり、前記酒容器（１）内の酒は吸排気孔（８）からの通気により流路（４）を経て盃状酒器（３）へ移動し、液面（１４）は水平で停止する。
【００２６】  （１）内の酒の残量及び（３）への希望分配量により、（１）の傾斜角度を変えて適時に直立させれば、適量が（３）内へ分配され、液面（１４）は（１）及び（３）内で水平を保つ（図Ｂ）。
【００２７】  飲用口（６）から飲用する（図Ｃ））が、この時体勢の激動には（６）を唇で塞ぐことが出来る。
【００２８】  （６）からの飲用で「乾杯」にも対応でき、チビチビと好みの回数での飲用でもその都度の蓋（１１）の着脱は要しない。
【００２９】  図Ａ，Ｂ，Ｃ装着から飲用終了までの間、転倒させても溢す量は（３）内の残量であり、（１）内の残全量の流出は防げる
【００３０】  （１）内の残量が少なくなれば、溢す恐れも減るから（１）と（３）又は（１２）を分離した飲用でも良い。
【００３１】  以上本説明は従来の「カップ酒」の難点を排除し、場所・体勢を問わず古来の作法も保てる酒器とした場合の例であり、本発明の応用は本実施例に限定されるものではない。
【符号の説明】
【００３２】１．市販「カップ酒」の容器
２．カップ酒用盃
３．盃状酒器
４．流入口
５．天板
６．飲用口
７．装着具
８．通気口
９．（２）の天場
１０、（２）のスカート部
１１．（１）の蓋
１２．酒盃の形状の一例
１３．プルトップ
１４．液面
【図１】
2014012556.tif 000003
【図２】
2014012556.tif 000004
【図３】
2014012556.tif 000005
【図４】
2014012556.tif 000006